(57)【要約】      （修正有）【課題】一つの注出口が流出口と通気口の両者の働きを同時にしかも十分に行うことができると共に溢れた液体が速やかに注出口を経由してもどることができ、又非常に飲み心地のよいものとする携帯用飲料容器を提供する。【解決手段】蓋体６を開閉操作させる開閉操作部材と開閉操作部材の操作をロックするロック操作部材８とが設けられている携帯用飲料容器に於いて、肩部材４の注出口５は、平面視で前方大口径のフェイス部分５ａと後方小口径のグリップ部分５ｂとからなるラケット状の形状に設けられており、この注出口５の周りには、内面壁４ａよりも一段と窪んだ段状の環状周面壁４ａ１が設けられ、肩部材４の飲み口９は、平面視で前方が尖って後方に向かって広がった壁のおにぎり状の形状に設けられており、この飲み口９には、前方の高い壁の下方より後方に向かって内側に窪んだ溝９ａが設けられている構成としている。【選択図】図５
0003191007.tif 000002
【実用新案登録請求の範囲】
【請求項１】
金属製真空二重瓶の容器本体（１ａ）の口元外周には、筒状の肩部材（４）が螺着され、容器本体の口元と肩部材上方の外部とは肩部材（４）の内面壁（４ａ）で直接封鎖され、この内面壁（４ａ）に設けた注出口（５）を介して容器本体と外部とが連通しており、注出口（５）を囲んで上方に延び、前方高く後方低く斜めに切断されたような形状の飲み口（９）が設けられ、この飲み口（９）を上方より覆いかつ注出口（５）を覆う蓋体（６）が設けられ、肩部材（４）の前面には、蓋体（６）を開閉操作させる開閉操作部材（７）と開閉操作部材の操作をロックするロック操作部材（８）とが設けられている携帯用飲料容器（１）に於いて、上記肩部材（４）の注出口（５）は、平面視で前方大口径のフェイス部分（５ａ）と後方小口径のグリップ部分（５ｂ）とからなるラケット状の形状に設けられており、この注出口（５）の周りには、内面壁（４ａ）よりも一段と窪んだ段状の環状周面壁（４ａ１）が設けられ、肩部材（４）の飲み口（９）は、平面視で前方が尖って後方に向かって広がった壁のおにぎり状の形状に設けられており、この飲み口（９）には、前方の高い壁の下方より後方に向かって内側に窪んだ溝（９ａ）が設けられていることを特徴とした携帯用飲料容器。
【考案の詳細な説明】
【技術分野】
【０００１】
本考案は、容器本体の口元に直に口を付けて直飲みするようにした携帯用飲料容器に関するものである。
【背景技術】
【０００２】
従来、直飲みする携帯用飲料容器としては、容器本体の口元上端面と容器本体の口元外周に螺合わされる肩部材とが、直接シールされる口元シールタイプと、容器本体の口元内周側壁と肩部材と別体でかつ肩部材内に装着された内筒とがシールされる口元内周側壁シールタイプとが存在する。
ところが、この口元内周側壁シールタイプでは、シール性は確実であるが、内筒の制作上及び組み立て上大幅なコスト高となるために、口元シールタイプが普及しつつあり、この口元シールタイプの携帯用飲料容器が、特開２０１１−１３１９２６号公報（特許文献１、図２参照）として存在する。
【先行技術文献】
【特許文献】
【０００３】
【特許文献１】特開２０１１−１３１９２６号公報（特許文献１、図２参照）
【０００４】
以下、特許文献１の図２により従来の携帯用飲料容器について説明する。
この口元シールタイプの携帯用飲料容器では、容器本体３１の外筒に螺着した口金部材３３（肩部材）を設け、この口金部材３３（肩部材）には、内側に容器本体３１の口元を覆う底面部３６が一体成形されており、この底面部３６には、前方に流出口３６ａと、後方に通気口３６ｂとが備えられ、この底面部３６が通気口３６ｂに向かっていわゆる後方に向かって略すり鉢状に凹んでいる。更にこの底面部３６のには、上方に延びかつ流出口３６ａと通気口３６ｂとを大きく囲んだ円筒状で前方より後方に向けて斜めに切断したような形態の飲み口３５が設けられ、更に又この口金部材３３（肩部材）の流出口３６ａと通気口３６ｂとを同時に開閉する蓋体５１を口金部材３３（肩部材）の後部に枢支して、この蓋体５１を口金部材３３（肩部材）の前方で開閉操作させる開放操作部材７１と開放操作部材の操作をロックするロック操作部材７２とを設けている。
【考案の概要】
【考案が解決しようとする課題】
【０００５】
ところが、このような構成によれば、肩部材の底面部には、流出口と通気口とが必ず必要であって、しかも蓋体にてこの離れた流出口と通気口とを同時に閉鎖、開放しなければならず、蓋体の開閉操作上又は組み立て上難しくて簡単にできないという問題点があった。
又、底面部が通気口に向かって傾斜しているために、流出口より流れ出た液体が直ぐに容器本体内に戻らず底面部上壁に沿って通気口へ流れ落ちるので、すみやかに戻すことができず流れ落ちる液体が目視されて見栄えが芳しくないという問題点があった。
更に、流出口を囲む飲み口は、平面視で略円形状に形成され、しかも単に底面部より上方に延びただけなので、口を大きく開けて舌をこの飲み口外側に当てて飲まなければならず、口の両端から液体が漏れやすく、飲み心地が悪いという問題点があった。
【課題を解決するための手段】
【０００６】
金属製真空二重瓶の容器本体１ａの口元外周には、筒状の肩部材４が螺着され、容器本体の口元と肩部材上方の外部とは肩部材４の内面壁４ａで直接封鎖され、この内面壁４ａに設けた注出口５を介して容器本体と外部とが連通しており、注出口５を囲んで上方に延び、前方高く後方低く斜めに切断されたような形状の飲み口９が設けられ、この飲み口９を上方より覆いかつ注出口５を覆う蓋体６が設けられ、肩部材４の前面には、蓋体６を開閉操作させる開閉操作部材７と開閉操作部材の操作をロックするロック操作部材８とが設けられている携帯用飲料容器１に於いて、上記肩部材４の注出口５は、平面視で前方大口径のフェイス部分５ａと後方小口径のグリップ部分５ｂとからなるラケット状の形状に設けられており、この注出口５の周りには、内面壁４ａよりも一段と窪んだ段状の環状周面壁４ａ１が設けられ、肩部材４の飲み口９は、平面視で前方が尖って後方に向かって広がった壁のおにぎり状の形状に設けられており、この飲み口９には、前方の高い壁の下方より後方に向かって内側に窪んだ溝９ａが設けられている構成としている。
【考案の効果】
【０００７】
本考案は、従来の問題点を解決したものであって、一つの注出口が流出口と通気口の両者の働きを同時にしかも十分に行うことができると共に溢れた液体が速やかに注出口を経由して戻ることができ、又非常に飲み心地のよい携帯用飲料容器を提供するにある。
【図面の簡単な説明】
【０００８】
【図１】本考案実施例の斜視図。
【図２】本考案実施例の縦断面図。
【図３】本考案実施例の上部を示す縦断面図。
【図４】本考案実施例の蓋体を開放した上部の縦断面図。
【図５】本考案実施例の肩部材より蓋体を開放した状態の斜視図。
【図６】本考案実施例の肩部材より蓋体を開放した状態の裏面図。
【考案を実施するための最良の形態】
【０００９】
携帯用飲料容器１は、内筒２、外筒３間を真空引きした容器本体１ａと、この容器本体の口元に装着し、容器本体内と外部とを連通する注出口５を備えた筒状の肩部材４と、肩部材に枢支して注出口５を開閉する蓋体６と、蓋体を係合操作する開閉操作部材７と、開閉操作部材の開閉ボタン７ａをロックするロック操作部材８とから構成されている。
【００１０】
容器本体１ａの内筒２は、ステンレス等の金属材料にて図２に示すように、有底筒状に形成されており、この内筒２には、内筒胴部と、この内筒胴部の上端より上方に向けて内側にすぼめた内筒傾斜部と、この内筒傾斜部の先端より上方に延びた内筒垂直部とが一体的に形成されている。
【００１１】
容器本体１ａの外筒３は、内筒と同じステンレス等の金属材料にて図２に示すように、筒状に形成されており、この外筒３には、内筒２と間隔を隔てて内筒胴部を囲む外筒胴部と、この外筒胴部の上端より内側にすぼめた外筒傾斜部と、この外筒傾斜部の先端より上方に延びた外筒小径部と、この外筒小径部の上端より更に内側にすぼめてその先端が上方に延びた口元接合部とが一体的に形成されている。
内筒胴部の底を囲む外筒３の底部と外筒胴部とは、同一材料にて別部材として結合されているが、底部と外筒胴部とを同一部材で一体的に形成しても何ら支障をきたすものではない。
【００１２】
外筒３の外筒小径部の外側壁には、後述の肩部材４の雌ネジを螺着する雄ネジが刻設されている。
外筒３の口元接合部と内筒２の内筒垂直部の上端とは、重ね合わされて溶接され、容器本体１ａの口元とされており、この外筒３と内筒２との隙間は、真空とされている。
【００１３】
容器本体１ａの口元に螺着する肩部材４は、図４に示すように、筒状に形成されており、この筒状の上端内側に容器本体１ａ内と外部との間を閉鎖する内面壁４ａを設けている。この内面壁４ａには、正面前方に前方大口径となるフェイス部分５ａと後方小口径となるグリップ部分５ｂとが一体的に形成されたラケット状の注出口５が設けられている。
この内面壁４ａは、前方の注出口５に向かって斜め下方に延びており、この注出口５を囲む周辺には、一段と窪んだ段差の環状周面壁４ａ１が設けられている。この段差のある環状周面壁４ａ１によって、飲んだ後に残る液体をスムーズに容器本体内に戻すことができる。
【００１４】
この注出口５は、容器本体１ａ内と外部とを連通している。この注出口５のグリップ部分５ｂは、容器本体１ａ内と通じる通気口の働きを有し、注出口と別個に通気口を設ける必要がなく、スムーズに飲むこととなる。
又、注出口５のフェイス部分５ａは、大きい口径で容器本体内の液体を十分注ぎ出すこととなる。
更に、注出口５では、段差のある環状周面壁４ａ１によって、飲んだ後に残る液体をスムーズに容器本体内に戻すこととなる。
【００１５】
肩部材の内面壁４ａの上端には、図４及び図５に示すように、注出口５を大きく囲んだ飲み口９が設けられている。この飲み口９は、前方高く後方低く後方に向かって斜めに切断されたような形状であって、平面視で前方が尖った壁で左右後方に向かって次第に広がり後方端で水平の壁としたおにぎり形状に設けられている。このおにぎり形状の飲み口９では、飲み口に舌を沿わしめやすく、飲み心地のよいものとすることができる。
【００１６】
この飲み口９では、前方の高い壁の下方より後方に向かって内側に窪んだ溝９ａを設けている。
この窪んだ溝９ａでは、飲み口９に当てた舌が窪みで固定されやすく、飲み口に触れる口が安定しやすくなって、飲み心地のよいものとすることができる。
肩部材４には、内面壁４ａの下側の内側壁に外筒３と螺着する雌ネジが刻設されている。
肩部材の後方上部には、後述の蓋体６を枢支する枢支部が設けられている。
【００１７】
肩部材４の前方前壁には、後述の蓋体６の係止爪６ａと係合する開閉ボタン７ａを備えた開閉操作部材７と、開閉操作部材の開閉ボタン７ａをロックするロック操作部材８とを備えている。
肩部材の内面壁４ａの下面壁には、図６に示すように、、容器本体１ａの口元上端に張設されるシールパッキン１０を内側より留める環状突起１１が垂下されている。
シールパッキン１０は、容器本体１ａの口元上端と容器本体の口元外周壁に螺着した肩部材の内面壁４ａの下面外周端との間に当接、張設されている。
【００１８】
蓋体６には、肩部材４の枢支部に枢支され、内面壁４ａに向けて下方に垂下した円筒体部６ｂが設けられており、前方の外側前面に後述の開閉ボタン７ａの係合爪７ａ１と係合する係止爪６ａが設けられている。
１２は、蓋体６の円筒体部６ｂを下側から覆っているゴムパッキンである。
【００１９】
この蓋体の前方上部を押し下げれば、蓋体６の係止爪６ａが開閉ボタン７ａの係合爪７ａ１と係合されて、同時に蓋体の円筒体部６ｂが肩部材４の注出口５に上方より被さって、この注出口を密に閉鎖するように配設されている。
【００２０】
開閉操作部材７は、蓋体６を開閉する開閉ボタン７ａと、この開閉ボタンを枢支する軸ピンと、開閉ボタン７ａを元の位置に復帰させる開閉復帰バネとからなっている。この開閉ボタン７ａは、上部内壁に蓋体６の係止爪６ａと係合する係合爪７ａ１を設け、下部の前面壁を指押圧部としている。
【００２１】
ロック操作部材８は、開閉ボタン７ａの指押圧部前面を覆うロックボタン８ａと、このロックボタンを枢支するロックボタン用軸ピンとからなっている。
このロックボタン８ａが、開閉ボタン７ａの指押圧部前面より押し上げられると、開閉ボタンの指押圧部に指が当接され、開閉ボタン７ａが回動されて、開閉ボタンの係合爪７ａ１より蓋体６の係止爪６ａがはずれて、蓋体が回動され肩部材４の注出口５を開放する。
【００２２】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２３】
１…携帯用飲料容器
１ａ…容器本体
２…容器本体
２…内筒
３…外筒
４…肩部材
４ａ…内面壁
４ａ１…環状周面壁
５…注出口
５ａ…フェイス部分
５ｂ…グリップ部分
６…蓋体
６ａ…係止爪
６ｂ…内筒体部
７…開閉操作部材
７ａ…開閉ボタン
７ａ１…係合爪
８…ロック操作部材
８ａ…ロックボタン
９…飲み口
９ａ…溝
１０…シールパッキン
１１…環状突起
【図１】
0003191007.tif 000003
【図２】
0003191007.tif 000004
【図３】
0003191007.tif 000005
【図４】
0003191007.tif 000006
【図５】
0003191007.tif 000007
【図６】
0003191007.tif 000008